(57)【要約】【課題】ストッパーの埋込部の少なくとも一部を、丸鋼棒を内蔵する充填鋼管にすることによって、損傷をストッパーの遊間部に集中させ、ストッパーの埋込部が埋込まれた構造物のコンクリートの損傷を抑制することができ、構造物の復旧作業を容易に、かつ、迅速に行うことができるようにする。【解決手段】下部工に少なくとも下端が埋込まれ、前記下部工の上に載置された上部工に少なくとも上端が埋込まれる丸鋼棒を有するストッパーであって、前記下部工と上部工との間の空隙に露出する遊間部と、前記下部工及び上部工に埋込まれる埋込部とを備え、該埋込部の少なくとも一部が前記丸鋼棒を内蔵する充填鋼管である。【選択図】図５
2019157525.tif 000002
【特許請求の範囲】
【請求項１】
下部工に少なくとも下端が埋込まれ、前記下部工の上に載置された上部工に少なくとも上端が埋込まれる丸鋼棒を有するストッパーであって、
前記下部工と上部工との間の空隙に露出する遊間部と、
前記下部工及び上部工に埋込まれる埋込部とを備え、
該埋込部の少なくとも一部が前記丸鋼棒を内蔵する充填鋼管であることを特徴とするストッパー。
【請求項２】
前記充填鋼管は、前記丸鋼棒を囲繞する鋼管と、前記丸鋼棒と鋼管との間に充填された充填材とを有する請求項１に記載のストッパー。
【請求項３】
前記充填材はコンクリート又はモルタルである請求項２に記載のストッパー。
【請求項４】
前記埋込部における遊間部の近傍部分である遊間近傍部が前記充填鋼管である請求項１〜３のいずれか１項に記載のストッパー。
【請求項５】
前記埋込部の少なくとも一部の断面剛性が前記遊間部の断面剛性よりも大きい請求項１に記載のストッパー。
【請求項６】
下部工と、
該下部工の上に載置された上部工と、
前記下部工に少なくとも下端が埋込まれ、前記上部工に少なくとも上端が埋込まれた丸鋼棒を有するストッパーとを備え、
該ストッパーは、前記下部工と上部工との間の空隙に露出する遊間部と、前記下部工及び上部工に埋込まれる埋込部とを含み、該埋込部の少なくとも一部が前記丸鋼棒を内蔵する充填鋼管であることを特徴とするストッパー取付構造。
【発明の詳細な説明】
【技術分野】
【０００１】
本開示は、ストッパー及びストッパー取付構造に関するものである。
【背景技術】
【０００２】
従来、鉄道や道路の高架橋等の構造物として、鉄筋コンクリート構造物が広く使用されている。このような構造物においては、下部工であるラーメン高架橋又は橋脚と、上部工である橋桁とを連結するために鋼棒ストッパー、鋼角ストッパーまたはダンパー式ストッパーが使用されている。該当のストッパーに要求される機能は、地震等による水平力に対して桁の移動を制限すること、橋桁の落橋を防止することである。鋼棒ストッパーとしては、桁長１５〔ｍ〕以下程度の桁にて、丸鋼棒から成る鋼棒ストッパーが使用されている（例えば、特許文献１参照。）。
【０００３】
図１は従来の鋼棒ストッパーを下部工と上部工との連結部に適用した例を示す斜視図、図２は従来の鋼棒ストッパーが適用された下部工と上部工との連結部の断面図である。なお、図２において、（ａ）は連結部全体の縦断面図、（ｂ）は鋼棒ストッパーの横断面図である。
【０００４】
図１において、２１は鉄道に使用される高架橋の桁であって、鉄筋コンクリート構造またはプレストレストコンクリート構造であり、その上面に鉄道の線路、すなわち、軌道２５が敷設されている。また、１１は前記高架橋の橋脚であって、鉄筋コンクリート構造であり、前記桁２１を支持し、基礎や地盤に鉛直荷重を伝達する。具体的には、橋脚１１の上部の桁座１２上に沓座１３、支承本体１４を設置し、前記桁２１が上載されている。なお、図１においては、説明の都合上、桁２１と連続する桁の図示が省略されている。
【０００５】
また、地震等による水平力によって生じる桁２１の水平方向の移動を制限するために一様な径の丸鋼棒３７から成る鋼棒ストッパーがストッパー３１として桁座１２及び桁端２２に埋込まれている。具体的には、図２に示されるように、前記ストッパー３１の下端及びその近傍である下方埋込部３２Ｂが桁座１２に埋込まれ、前記ストッパー３１の上端及びその近傍である上方埋込部３２Ａが桁端下面２２ａに開口するように桁端２２に挿入された鋼管から成るさや管２３内に収容されて埋込まれている。また、前記桁座１２に埋込まれたストッパー３１の下方埋込部３２Ｂの周囲及び桁端２２に挿入されたさや管２３の周囲を取囲むように、前記桁座１２及び桁端２２には、スパイラル鉄筋２６が埋込まれている。なお、上方埋込部３２Ａと下方埋込部３２Ｂとを統合的に説明する場合には、埋込部３２として説明する。
【０００６】
そして、桁座上面１２ａと桁端下面２２ａとの間には、遊間部を有している。なお、前記ストッパー３１は、図１に示されるように、桁２１の幅方向に並ぶように、複数本（図１に示される例では、３本）設置される。
【０００７】
このように、ストッパー３１の上下両側が桁座１２及び桁端２２に埋込まれているので、橋脚１１に対する橋桁２１の水平方向の移動が適切に制限される。なお、地震時のように慣性力Ｇが橋桁２１に作用した際には、図２に示されるように、ストッパー３１が慣性力Ｇを受止めるようになっている。
【先行技術文献】
【特許文献】
【０００８】
【特許文献１】特開２０１０−２４２４４３号公報
【発明の概要】
【発明が解決しようとする課題】
【０００９】
しかしながら、前記従来の技術では、地震時のように大きな慣性力Ｇを受けた場合、ストッパー３１の下方埋込部３２Ｂが埋込まれている下部工としての桁座１２や、ストッパー３１の上方埋込部３２Ａが埋込まれている上部工としての桁端２２が損傷を受けてしまうことがある。
【００１０】
図３は従来の鋼棒ストッパーが埋込まれた上部工が地震によって受けた損傷を示す写真、図４は従来の鋼棒ストッパーが埋込まれた下部工が地震によって受けた損傷を示す写真である。
【００１１】
交通ネットワークである鉄道や道路の高架橋等における上部工や下部工の損傷は、医療や援助物資、救援部隊の派遣等を途絶し、人命を脅かすので、早急に復旧する必要がある。しかし、図３及び４に示されるように、桁端２２や桁座１２が損傷を受けた場合、高所作業車を使用した点検が必要であり、復旧に時間と労力とが必要となる。また、損傷は、桁座１２の前面１２ｂ側のみならず、図４に示されるように、桁座１２の背面１２ｃ側（桁遊間）にも生じるが、該背面１２ｃは見えない箇所であり、また、復旧作業を行うための作業空間が狭隘なので、復旧に長い時間がかかるだけでなく、復旧作業自体が困難となる場合もある。
【００１２】
ここでは、前記従来の技術の問題点を解決して、ストッパーの埋込部の少なくとも一部を、丸鋼棒を内蔵する充填鋼管にすることによって、損傷をストッパーの遊間部に集中させ、ストッパーの埋込部が埋込まれた構造物のコンクリートの損傷を抑制することができ、構造物の復旧作業を容易に、かつ、迅速に行うことができるストッパー及びストッパー取付構造を提供することを目的とする。
【課題を解決するための手段】
【００１３】
そのために、ストッパーにおいては、下部工に少なくとも下端が埋込まれ、前記下部工の上に載置された上部工に少なくとも上端が埋込まれる丸鋼棒を有するストッパーであって、前記下部工と上部工との間の空隙に露出する遊間部と、前記下部工及び上部工に埋込まれる埋込部とを備え、該埋込部の少なくとも一部が前記丸鋼棒を内蔵する充填鋼管である。
【００１４】
他のストッパーにおいては、さらに、前記充填鋼管は、前記丸鋼棒を囲繞する鋼管と、前記丸鋼棒と鋼管との間に充填された充填材とを有する。
【００１５】
更に他のストッパーにおいては、さらに、前記充填材はコンクリート又はモルタルである。
【００１６】
更に他のストッパーにおいては、さらに、前記埋込部における遊間部の近傍部分である遊間近傍部が前記充填鋼管である。
【００１７】
更に他のストッパーにおいては、さらに、前記埋込部の少なくとも一部の断面剛性が前記遊間部の断面剛性よりも大きい。
【００１８】
ストッパー取付構造においては、下部工と、該下部工の上に載置された上部工と、前記下部工に少なくとも下端が埋込まれ、前記上部工に少なくとも上端が埋込まれた丸鋼棒を有するストッパーとを備え、該ストッパーは、前記下部工と上部工との間の空隙に露出する遊間部と、前記下部工及び上部工に埋込まれる埋込部とを含み、該埋込部の少なくとも一部が前記丸鋼棒を内蔵する充填鋼管である。
【発明の効果】
【００１９】
本開示によれば、ストッパーの埋込部の少なくとも一部を、丸鋼棒を内蔵する充填鋼管にする。これにより、損傷をストッパーの遊間部に集中させ、ストッパーの埋込部が埋込まれた構造物のコンクリートの損傷を抑制することができ、構造物の復旧作業を容易に、かつ、迅速に行うことができる。
【図面の簡単な説明】
【００２０】
【図１】従来の鋼棒ストッパーを下部工と上部工との連結部に適用した例を示す斜視図である。
【図２】従来の鋼棒ストッパーが適用された下部工と上部工との連結部の断面図である。
【図３】従来の鋼棒ストッパーが埋込まれた上部工が地震によって受けた損傷を示す写真である。
【図４】従来の鋼棒ストッパーが埋込まれた下部工が地震によって受けた損傷を示す写真である。
【図５】第１の実施の形態における構造物の載荷試験によって得られた水平荷重と水平変位との関係を示す図である。
【図６】第１の実施の形態における構造物の載荷試験によって受けた損傷を示す写真である。
【図７】第１の実施の形態における構造物の再現解析によって得られた支圧応力の分布を示す図である。
【図８】第１の実施の形態におけるストッパーを示す図である。
【図９】第２の実施の形態におけるストッパーを示す図である。
【発明を実施するための形態】
【００２１】
以下、実施の形態について図面を参照しながら詳細に説明する。
【００２２】
図５は第１の実施の形態における構造物の載荷試験によって得られた水平荷重と水平変位との関係を示す図、図６は第１の実施の形態における構造物の載荷試験によって受けた損傷を示す写真、図７は第１の実施の形態における構造物の再現解析によって得られた支圧応力の分布を示す図である。なお、図６において、（ａ）は第１の載荷試験によって受けた損傷を示す写真、（ｂ）は第２の載荷試験によって受けた損傷を示す写真である。
【００２３】
本実施の形態においては、「背景技術」及び「発明が解決しようとする課題」の項における説明を援用し、下部工と上部工との連結部における各部の構造、動作及び効果であって、「背景技術」及び「発明が解決しようとする課題」の項において説明したものと同じものについては、図１及び２に示される符号と同じ符号を付与することによって、適宜、説明を省略する。
【００２４】
また、本実施の形態において、下部工と上部工との連結部の各部及びその他の部材の構成及び動作を説明するために使用される上、下、左、右、前、後等の方向を示す表現は、絶対的なものでなく相対的なものであり、下部工と上部工との連結部の各部及びその他の部材が図に示される姿勢である場合に適切であるが、その姿勢が変化した場合には姿勢の変化に応じて変更して解釈されるべきものである。
【００２５】
「発明が解決しようとする課題」の項で説明したように、鉄道の高架橋等における上部工、下部工等の構造物が被災した場合、損傷を受けた箇所が桁端２２や桁座１２であると、復旧に長い時間がかかるだけでなく、復旧作業自体が困難となる場合もある。そこで、被災した場合に構造物がどのような損傷を受けるのかを解明するために、載荷試験が行われている。このような載荷試験によって、ストッパー３１としての鋼棒ストッパーや、ストッパー３１の下方埋込部３２Ｂが埋込まれている下部工である桁座１２のコンクリートの残存耐力と損傷との関係が明らかになりつつある。
【００２６】
図５には、第１及び第２（Ｎｏ．１及びＮｏ．２）の載荷試験の結果として得られた水平荷重と水平変位との関係を示す曲線が示されている。そして、ストッパー３１としての鋼棒ストッパーが降伏した点や、図６に示されるような桁座１２のコンクリートにはく離が発生した点も示されている。
【００２７】
また、図５に示されるような載荷試験の結果に基づいて解析を行うことによって、図７に示されるように、ストッパー３１の下方埋込部３２Ｂが埋込まれている桁座１２のコンクリートの支圧力の分布を再現することができる。図７に示される結果から、支圧力は桁座上面１２ａの近傍に集中することが分かる。
【００２８】
ストッパー３１の埋込部３２の周囲におけるコンクリートは、現在の設計手法及び構造細目では、損傷を抑制することが困難である。そこで、ここでは、損傷メカニズムから、ストッパー３１の仕様を変更することによって、埋込部３２の周囲におけるコンクリートの損傷を制御することとする。
【００２９】
図８は第１の実施の形態におけるストッパーを示す図である。なお、図において、（ａ）は側面図、（ｂ）は（ａ）におけるＡ−Ａ矢示断面図である。
【００３０】
図に示されるように、本実施の形態におけるストッパー３１は、丸鋼棒３７を有するものではあるが、上部工としての桁端２２に埋込まれる上方埋込部３２Ａ、及び、下部工としての桁座１２に埋込まれる下方埋込部３２Ｂは、丸鋼棒３７を内蔵する充填鋼管としてのコンクリート充填鋼管３８となっている。そして、前記上方埋込部３２Ａ及び下方埋込部３２Ｂの外径が、桁座上面１２ａと桁端下面２２ａとの間の空隙２４に露出する遊間部３３の外径より大きく設定されている。なお、上方埋込部３２Ａと下方埋込部３２Ｂとは、同径に設定されている。つまり、コンクリート充填鋼管３８である埋込部３２は、丸鋼棒３７から成る遊間部３３より大径となるように設定されている。具体的には、図８（ｂ）に示されるように、本実施の形態におけるストッパー３１において、埋込部３２は、「背景技術」及び「発明が解決しようとする課題」の項において説明したストッパー３１と同様の丸鋼棒３７から成り、埋込部３２は、丸鋼棒３７の外周を覆う、すなわち、囲繞する鋼管３５と、前記丸鋼棒３７と鋼管３５との間に充填材３６としてコンクリートを充填したコンクリート充填鋼管３８となっている。なお、充填材３６は、コンクリートに限定されるものでなく、粗骨材を含有しないモルタルであってもよい。
【００３１】
図８に示される例において、コンクリート充填鋼管３８から成る大径の埋込部３２の直径は約１５０〔ｍｍ〕であり、丸鋼棒３７から成る小径の遊間部３３の直径は約１００〔ｍｍ〕であり、埋込部３２の長さは約６００〔ｍｍ〕であり、小径の遊間部３３の長さは約１００〔ｍｍ〕であるが、各部の直径及び長さは、適宜変更することができる。なお、埋込部３２は、その断面剛性が遊間部３３の断面剛性よりも大きくなるように設定されることが望ましい。
【００３２】
図８に示されるように、桁端２２及び桁座１２に埋込まれる埋込部３２を丸鋼棒３７を内蔵するコンクリート充填鋼管３８にして前記埋込部３２の断面剛性を高くすることによって、地震時のように大きな慣性力Ｇを受けた場合に、丸鋼棒３７から成る遊間部３３に損傷を集中させ、桁端２２及び桁座１２における埋込部３２の周囲のコンクリートの損傷を抑制することができる。また、埋込部３２の周囲のコンクリートは、コンクリート充填鋼管３８によって補強されるので、前記コンクリートの損傷が更に抑制される。さらに、前記コンクリート充填鋼管３８をスパイラル鉄筋２６と置換えることもできる。また、埋込部３２の鋼管３５はスパイラル鉄筋２６と同様の施工が可能である。
【００３３】
このように、本実施の形態において、ストッパー３１は、下部工としての桁座１２に少なくとも下端が埋込まれ、桁座１２の上に載置された上部工としての桁端２２に少なくとも上端が埋込まれる丸鋼棒３７を有する。そして、ストッパー３１は、桁座１２と桁端２２との間の空隙２４に露出する遊間部３３と、桁座１２及び桁端２２に埋込まれる埋込部３２と含み、埋込部３２の少なくとも一部が丸鋼棒３７を内蔵するコンクリート充填鋼管３８である。
【００３４】
また、本実施の形態における鋼棒ストッパー取付構造は、下部工としての桁座１２と、桁座１２の上に載置された上部工としての桁端２２と、桁座１２に少なくとも下端が埋込まれ、桁端２２に少なくとも上端が埋込まれた丸鋼棒３７を有するストッパー３１とを備え、ストッパー３１は、桁座１２と桁端２２との間の空隙２４に露出する遊間部３３と、桁座１２及び桁端２２に埋込まれる埋込部３２とを含み、埋込部３２の少なくとも一部が丸鋼棒３７を内蔵するコンクリート充填鋼管３８である。
【００３５】
これにより、損傷をストッパー３１の遊間部３３に集中させ、ストッパー３１の埋込部３２が埋込まれた構造物のコンクリートの損傷を抑制することができ、構造物の復旧作業を容易に、かつ、迅速に行うことができる。また、ストッパー３１の桁端２２及び桁座１２の取付け施工を容易に行うことができる。
【００３６】
また、コンクリート充填鋼管３８は、丸鋼棒３７を囲繞する鋼管３５と、丸鋼棒３７と鋼管３５との間に充填された充填材３６とを有する。さらに、充填材３６はコンクリート又はモルタルである。さらに、埋込部３２の少なくとも一部の断面剛性が遊間部３３の断面剛性よりも大きい。このように、遊間部３３の断面剛性を小さくすることによって、構造物のコンクリートの損傷を効率的に抑制することができる。
【００３７】
次に、第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００３８】
図９は第２の実施の形態におけるストッパーを示す図である。なお、図において、（ａ）は側面図、（ｂ）は（ａ）におけるＢ−Ｂ矢示断面図である。
【００３９】
図７に示される結果からも分かるように、大きな慣性力Ｇを受けた場合、コンクリートの支圧力が空隙２４に近い部分に集中する。そこで、本実施の形態におけるストッパー３１は、図９に示されるように、埋込部３２における遊間部３３の近傍部分だけが、コンクリート充填鋼管３８であり、断面剛性が大きくなっている。
【００４０】
より詳細に説明すると、上方埋込部３２Ａにおける遊間近傍部３２Ａａ及び下方埋込部３２Ｂにおける遊間近傍部３２Ｂａが丸鋼棒３７を内蔵するコンクリート充填鋼管３８であり、上方埋込部３２Ａにおける遠方部３２Ａｂ及び下方埋込部３２Ｂにおける遠方部３２Ｂｂは、遊間部３３と同様に、丸鋼棒３７から成る。なお、上方埋込部３２Ａにおける遊間近傍部３２Ａａ及び下方埋込部３２Ｂにおける遊間近傍部３２Ｂａを統合的に説明する場合には遊間近傍部３２ａとして説明し、上方埋込部３２Ａにおける遠方部３２Ａｂ及び下方埋込部３２Ｂにおける遠方部３２Ｂｂを統合的に説明する場合には遠方部３２ｂとして説明する。図９に示される例において、コンクリート充填鋼管３８から成る大径の遊間近傍部３２ａの直径は約１５０〔ｍｍ〕であり、丸鋼棒３７から成る小径の遊間部３３の直径は約１００〔ｍｍ〕であり、埋込部３２の長さは約６００〔ｍｍ〕であり、小径の遊間部３３の長さは約１００〔ｍｍ〕であり、遊間近傍部３２ａの長さは約３００〔ｍｍ〕であるが、各部の直径及び長さは、適宜変更することができる。
【００４１】
このように、本実施の形態において、埋込部３２における遊間部３３の近傍部分である遊間近傍部３２ａが丸鋼棒３７を内蔵するコンクリート充填鋼管３８である。
【００４２】
これにより、構造物のコンクリートの支圧力が集中する箇所の断面剛性を大きくすることができ、構造物のコンクリートの損傷を効率的に抑制することができる。
【００４３】
なお、その他の点の効果については、前記第１の実施の形態と同様であるので、その説明を省略する。
【００４４】
また、本明細書の開示は、好適で例示的な実施の形態に関する特徴を述べたものである。ここに添付された特許請求の範囲内及びその趣旨内における種々の他の実施の形態、修正及び変形は、当業者であれば、本明細書の開示を総覧することにより、当然に考え付くことである。
【産業上の利用可能性】
【００４５】
本開示は、ストッパー及びストッパー取付構造に適用することができる。
【符号の説明】
【００４６】
１２    桁座
２２    桁端
２４    空隙
３１    ストッパー
３２Ａ    上方埋込部
３２Ａａ、３２Ｂａ    遊間近傍部
３２Ｂ    下方埋込部
３３    遊間部
３５    鋼管
３６    充填材
３７    丸鋼棒
３８    コンクリート充填鋼管
【図１】
2019157525.tif 000003
【図２】
2019157525.tif 000004
【図３】
2019157525.tif 000005
【図４】
2019157525.tif 000006
【図５】
2019157525.tif 000007
【図６】
2019157525.tif 000008
【図７】
2019157525.tif 000009
【図８】
2019157525.tif 000010
【図９】
2019157525.tif 000011